(57)【特許請求の範囲】
【請求項１】
使用者の頭部を載せるまくら本体と、前記まくら本体を載置するまくら台と、を備えた炭入り健康まくらであって、
前記まくら本体を載置する前記まくら台は、対面する上下２枚の板材の間に２本の梁を、間隔を保ち挟装して内部に隙間を設けており、該まくら台の対向位置に前記まくら本体を保持するまくら保持部と、該まくら台に垂設する少なくとも２つの支持部材と、を備えており、
前記まくら本体は、中央部に円錐台形状の貫通孔を備えた緩衝材と、前記緩衝材を載置する板状のまくら基礎と、前記緩衝材および前記まくら基礎と、を包み込むまくらカバーと、前記まくら本体の中央に設けられた半球状の凹部と、を備えており、
前記まくら本体のまくら基礎には、その中央部に一対の緩衝材載置台が着接されてあって、
該緩衝材載置台の間には、ゴム帯と、面ファスナーと、が、緩衝材に設けられた貫通孔の直下に位置するように備えられており、
前記まくら基礎と、前記緩衝材と、を包み込む前記まくらカバーの内側において、前記緩衝材載置台に備えられた面ファスナーと対向する位置に、前記面ファスナーと係合する面ファスナーを備えており、
前記まくら台に設けられている前記隙間に炭を納めて、該炭が前記まくら台から脱落しないようにまくら台の側面を覆うカバーを備え、
使用時には、前記まくら本体を載置した状態の前記まくら台を起立させて、前記支持部材により起立状態を保持することを特徴とする、炭入り健康まくら。
【請求項２】
前記まくらカバーにおいて、前記凹部を構成するための見込み代が設けられていることを特徴とする、請求項１に記載の炭入り健康まくら。
【発明の詳細な説明】
【技術分野】
【０００１】
本発明は、寝ながらでも頭頂部付近の頭皮マッサージが出来て、且つ、板を箱状に組み合わせて内部に炭を封入した炭入り健康まくらに関する。
【背景技術】
【０００２】
頭皮の血行を促進させることは、慢性的な頭痛や立ち眩み等の症状緩和に加え、発毛等にも効果があると期待されている。血行を促進させるためには、頭皮へ刺激を与えてやることが不可欠であり、近年では頭皮用のマッサージ器具も販売されており、その関心の高さが伺える。
【０００３】
また、木材や竹を不完全燃焼させて製造される炭は、微細孔を多く有した多孔質物質である。炭が持つ細孔は、微細な物質を吸着させることが出来るため、以前より水の浄化や脱臭、ガスマスクにおける吸収缶の濾材にも利用されており、近年では炭を練り込んだパイプやウレタンをクッション材として使用したまくらも販売されている。本発明の発明者もこのような炭の特性に着目し、文献１に示すような炭等を内部に封入できるまくらを提案している。
【先行技術文献】
【特許文献】
【０００４】
【特許文献１】実用新案登録第３２２２１４６号
【発明の概要】
【発明が解決しようとする課題】
【０００５】
しかしながら、文献１のようなまくらでは、内部に封入できる炭の量が少ない上に、新しい物に入れ替える際の手順もやや面倒である。
【０００６】
そこで本発明は上記事情に鑑み、より多くの炭をまくら内部に封入し消臭や調湿効果の更なる向上を図ることが出来て、且つ、頭頂部付近の頭皮に刺激を与えて血行促進が期待出来るまくらを提供することを目的としている。
【課題を解決するための手段】
【０００７】
使用者の頭部を載せるまくら本体と、前記まくら本体を載置するまくら台と、を備えた炭入り健康まくらであって、前記まくら本体を載置する前記まくら台は、対面する上下２枚の板材の間に２本の梁を、間隔を保ち挟装して内部に隙間を設けており、該まくら台の対向位置に前記まくら本体を保持するまくら保持部と、該まくら台に垂設する少なくとも２つの支持部材と、を備えており、前記まくら本体は、中央部に円錐台形状の貫通孔を備えた緩衝材と、前記緩衝材を載置する板状のまくら基礎と、前記緩衝材および前記まくら基礎と、を包み込むまくらカバーと、前記まくら本体の中央に設けられた半球状の凹部と、を備えており、前記まくら台に設けられている前記隙間に炭を納めて、該炭が前記まくら台から脱落しないようにまくら台の側面を覆うカバーを備え、使用時には、前記まくら本体を載置した状態の前記まくら台を起立させて、前記支持部材により起立状態を保持することを特徴とする。
【０００８】
前記まくら本体のまくら基礎には、その中央部に一対の緩衝材載置台が着接されてあって、該緩衝材載置台の間には、ゴム帯と、面ファスナーと、が、緩衝材に設けられた貫通孔の直下に位置するように備えられており、前記まくら基礎と、前記緩衝材と、を包み込む前記まくらカバーの内側において、前記緩衝材載置台に備えられた面ファスナーと対向する位置に、前記面ファスナーと係合する面ファスナーを備えていることを特徴とする。
【０００９】
前記まくらカバーにおいて、前記凹部を構成するための見込み代が設けられていることを特徴とする。
【発明の効果】
【００１０】
請求項１の発明によれば、使用者の頭部を載せるまくら本体を載置するまくら台において、２枚の板材の間に２本の梁を挟装させることにより板材間に梁の太さ分の隙間が生じるため、当該隙間内に炭などの何らかの物品を隙間の大きさに応じた量にて収納することが出来る。加えて、まくら台の側面を覆うカバーは取り外し自在であるため、板材間に収納した炭等の出し入れが簡単に行える。この時、隙間内に炭を収容することで、炭が持つ脱臭効果や調湿効果により使用者により良い寝空間を提供することが出来る。また、本発明は、前記まくら台から垂設する支持部材によってまくら全体が起立した状態で使用するため、当該まくら台に載置させたままのまくら本体も同様に起立しており、そのまくら本体に頭部を乗せるようにして使用することから、就寝中は常に頭頂部がまくら本体と接触する。すると、寝返りを打った際にまくら本体と使用者の頭頂部付近が擦れて、疑似的に撫でさすられる状態を再現することができ、頭頂部の皮膚をマッサージして血行を促進させることが期待できる。更に、使用者の頭部を乗せるまくら本体には、内部の緩衝材に貫通孔を設けたことによりまくらカバーが凹んで形成される半球状の凹部を備えているため、使用者の頭部をまくら本体に載せやすくするのは勿論のこと、両者の接触面積を増やすこともでき、結果として頭皮に刺激を与えられる範囲を広くしている。
【００１１】
さらに加えて、まくら本体の内部に設けてあって緩衝材の土台であるまくら基礎の表面に面ファスナーを、まくらカバーの内側において当該面ファスナーに対応する面ファスナーを対向する位置に縫い付けておくことにより、まくら本体の内部で面ファスナー同士を係合させることが出来る。すると、面ファスナーを縫い付けた部分がカバー内部に引き込まれる状態を維持することが出来るため、緩衝材に設けられた貫通孔を介して面ファスナー同士が係合することで、まくら本体の表面に凹部を持続して出現させることが可能となる。また、まくら基礎に備えてある面ファスナーは、当該面ファスナーとゴム帯が一体的に取り付けられてあるため、ゴム帯の付勢力によってより強くまくらカバーが内側に引き寄せられ、使用者の頭部と接触する凹部の形を崩れ難くすることが出来る。また、前記ゴム帯の伸縮性によって、まくらカバーを内側に引き寄せる力が絶妙な加減によって調整されるため、緩衝材が変形することによる反発力が緩和され、面ファスナー同士の係合が解放されるほどの力が生じ難い。
【００１２】
請求項２の発明によれば、まくら本体において、前記凹部を形成するためにまくらカバーに見込み代を設けておくことによって、凹部を形成する際にまくらカバーの布地にあそびが無く、凹部が十分に形作れなくなるのを防ぐことが出来る。また、まくらカバーが凹む際に必要な分だけを予め見込み代として余計に設けておくことにより無理に引っ張られる部分が生じず、まくら本体の外形が崩れる虞が無いため、意匠性の良いまくらを提供することが出来る。
【図面の簡単な説明】
【００１３】
【図１】本発明の炭入り健康まくらの全体を示した斜視図である。
【図２】本発明の炭入り健康まくらにおいて、まくら本体の全体を示した斜視図である。
【図３】本発明の炭入り健康まくらにおけるまくら台の断面図であり、（ａ）は梁に直交する方向の断面を示し、（ｂ）は梁に並行する方向の断面を示している。
【図４】本発明の炭入り健康まくらにおけるまくら本体の断面図であり、（ａ）は面ファスナーを構成するフック及びループが結合していない状態の断面を示し、（ｂ）は面ファスナーを構成するフック及びループが結合している状態の断面を示している。
【図５】本発明の炭入り健康まくらにおけるまくらカバーの概要を示した図であり、（ａ）は縫い代を考慮していないまくらカバーの裏面から見た展開図で、（ｂ）はまくらカバーを縫製して組み立てた際の概要図である。
【図６】本発明の炭入り健康の使用方法の一例を示した説明図である。
【発明を実施するための形態】
【００１４】
以下より、本発明の炭入り健康まくらの実施の形態例を詳説する。
本実施の形態例において、炭入り健康まくらは、使用者Ｍの頭部を乗せるまくら本体５と、該まくら本体５を載置するまくら台１とから構成される。
【００１５】
図１に示すように、前記まくら台１は、浮造りの焼き板を使用し、上下方向に対面する２枚の略正方形状の板材１ａ、１ａと、２枚の前記板材１ａ、１ａの間に図示しない釘や木ねじ等によって間隔を保って挟装された２本の梁１ｂ、１ｂとで構成されている。板材１ａ、１ａ間は、図３（ａ）及び（ｂ）に示すように、前記梁１ｂの厚さ分の隙間が設けられてあって、さながら箱のような空間を呈しており、この空間内に複数本の棒状の炭Ｃが納められている。また、前記梁１ｂが挟装されていない部分は開口しており、中に納めた前記炭Ｃが脱落しないようにまくら台１の側面をカバー４で覆っている。このうち、前記まくら本体５を載置する上面側の板材１ａには、前記梁１ｂが着接されている辺と同一の辺に、ばね蝶番状の付勢部材３ａ、３ａを介して半円板のまくら保持部３、３が対向して取り付けられている。一方、下面側の板材１ａには、中央からずれた位置に円柱状の支持部材２が２つ垂設している。
【００１６】
前記まくら台１に載置されるまくら本体５は、図１に示すように、略直方体形の外形を有しており、その上面の中心部には円形の凹部６が設けられている。また、当該まくら本体５は、何れかの側面に来るように設けられた線ファスナー７ａの開閉によって取り外し自在となっているまくらカバー７によって包み込まれている。当該まくらカバー７の内部には、図２に示すように、ウレタンスポンジ製で中央部に円錐台形状の貫通孔８ａを有した略長方形状の緩衝材８と、当該緩衝材８の土台となっているまくら基礎９とが納められている。前記まくら基礎９の上面中央部には、面ファスナーを構成するフック１１（以下よりフックと呼称する）と、前記フック１１が縫い付けられたゴム帯１０が設けられており、該フック１１及び該ゴム帯１０を挟む位置に対向して緩衝材載置台１２、１２が設けられている。前記緩衝材８は、前記フック１１及びゴム帯１０が前記貫通孔８ａの直下に位置するよう、前記緩衝材載置台１２上に載置されており、前記まくら基礎９との間には緩衝材載置台１２の厚み分だけの隙間が生じている。この時、前記緩衝材８と、前記まくら基礎９との間に生じた隙間に炭Ｃを敷き詰めても良い。
【００１７】
前記緩衝材８及び前記まくら基礎９を被包するまくらカバー７は、一枚の布地を縫製して形成されている。（図５（ａ）参照、縫い代は考慮せず）まくら本体５の何れかの側面にあたる部分に開口部が設けられ、当該箇所には線ファスナー７ａが備えられている。また、まくらカバー７の裏面、つまり、緩衝材８及びまくら基礎９を内包する内側には、前記フック１１に対応し、且つ、該フック１１に対向する位置に面ファスナーを構成するループ７ｂ（以下よりループと呼称する）が縫い付けられている。このように構成されたまくらカバー７に、前記緩衝材８及びまくら基礎９を納めると、図４（ａ）に示すように、前記ループ７ｂと前記フック１１とがまくら本体５内部で緩衝材８の貫通孔８ａを介して対向する。この状態で、前記ループ７ｂの裏面、つまりまくら本体５の上面中心部を強く押さえると、前記ループ７ｂが貫通孔８ａ内を通過、対応するフック１１に接触して両者が結合する。すると、前記ループ７ｂが縫い付けられているまくらカバー７の布地が前記貫通孔８ａ内に引き込まれるため、まくら本体５の上面中心部には半球状の凹部６が形成される。この時、まくらカバー７の内部では、前記ループ７ｂと前記フック１１とが互いに結合している状態にあるが、この結合によって緩衝材８がまくら本体５の上面から押さえつけられているため、緩衝材８の反発力でいずれループ７ｂ及びフック１１の結合が解放されてしまう虞がある。しかしながら、前記フック１１は、両端部を前記まくら基礎９に着接されたゴム帯１０に縫い付けられており、ループ７ｂと結合した後ゴム帯１０の伸縮性が作用し、ループ７ｂと共にまくら本体５の表面側に持ち上げられるため、緩衝材８の反発力を和らげることが出来る。すると、ループ７ｂ及びフック１１による面ファスナーの結合が解放されるほどの力が加わらないため、図４（ｂ）に示すように凹部６を維持することが出来る。
【００１８】
また、前記まくらカバー７には、前記凹部６を形成するため、表面が窪む分だけの見込み代７ｃを２箇所に設けている。（図５（ａ）参照）まくらカバー７を縫製して組み立てただけでは、図５（ｂ）に示すように、見込み代７ｃの分だけまくらカバー７の布地が余っているように見えるが、図４（ｂ）のようにまくら本体５の中心部を押さえて凹部６を形成すれば、見込み代７ｃの部分は凹部６側に引っ張られて見込み代７ｃの存在が見えなくなる。当該見込み代７ｃを予め設けておくことにより、前記凹部６が形成できるだけのあそびを作ることができ、まくらカバー７の開口部に設けられた線ファスナー７ａを無理やり閉じた際に前記ループ７ｂ及びフック１１の結合が解放されて凹部６が形成されなくなることも生じない上に、まくらカバー７が無理に引っ張られる部分が無くなるため、内部の緩衝材８が変形せず意匠性の良いまくら本体５とすることが出来る。
【００１９】
上記のように構成された本実施の形態例における炭入り健康まくらは、図６に示すようにして使用する。
まず、まくら本体５がまくら保持部３、３によって保持されたまくら台１を起立させる。この時、まくら台１から垂設する２つの支持部材２、２が接地面Ｇ側になるようまくら台１の向きを調節し、図６（ａ）に示すように、前記支持部材２、２側に少し倒すと、前記支持部材２の先端部が接地面Ｇと接触し、まくら台１を斜め後ろの方向から支保する。すると、支持部材２の先端部、傾いたまくら台１及びまくら本体５の各々一辺が接地面Ｇに接触し、横から見るとこれら３点でまくら全体を支持しているように見える。
次に、前段にて説明した状態の炭入り健康まくらのまくら本体５に使用者Ｍの頭部を乗せる。この時、図６（ｂ）に示すように、凹部６に使用者Ｍの頭頂部付近を押し付けるようにして頭部を乗せる。また、まくら本体５は、頭部の重みによって使用者Ｍの後頭部を覆うようにやや変形する。
【００２０】
以上のように構成され、使用する本発明の炭入り健康まくらは、内部に炭Ｃを収納するスペースを設けることで、まくら周辺の空気が炭Ｃによって浄化・調湿され睡眠に快適な空間を提供することが出来る。加えて、睡眠中は頭頂部がまくら本体５に接触していることから、寝返りや身動ぎする度に頭頂部がまくら本体５によって擦れ、頭皮を刺激して簡易的なマッサージを行うことが出来る。してみると、寝ながらにして頭皮のマッサージが行われるため、頭部の血行促進が図られて目の疲れや脳の疲れが解消し、すっきりと目覚めることが期待できる。更に、本実施の形態例において、まくら台１を構成する板材１ａには浮造りの焼き板を使用しており、木材の冬目に薄っすら付いた焼跡と、冬目よりも深く削られ焼跡が付いていない春目とのコントラストが美しいまくらを提供することが出来る。
【００２１】
また、まくら本体５を形作る緩衝材８には円錐台形状の貫通孔８ａが設けられているため、まくらカバー７の一部が当該貫通孔８ａに落ち込むことで凹部６が形成され、使用者Ｍの頭部をまくら本体５にフィットさせることが出来る。加えて前記凹部６は、まくら本体５内部に設けられた面ファスナーを構成するフック１１及びループ７ｂと、ゴム帯１０とでその外形が長時間維持できるよう構成されているため、頭部のフィット感が長続きする。更に、起床後においてまくら本体５の形が崩れてしまっても、内部のまくら基礎９や緩衝材８の反発力、面ファスナーのフック１１及びループ７ｂの再結合により、まくら本体５の表面を軽く手で整えるだけでも元どおり綺麗にすることが出来る。
【００２２】
また、まくら台１を構成する板材１ａと、梁１ｂとは図示しない釘や木ねじ等で接合されているが、板材１ａの表面に釘頭が露出しないようにカバー４で覆われる側面部から斜めに打ち込んで両部材を固定しても良い。加えて、直立したまくら台１を支保する支持部材２、２にボルトを利用すれば、支持部材２としての役割だけでなく板材１ａと梁１ｂの接合も行うことが出来る。なお、ボルト利用時においては、ビニールパイプ等を適切な長さに切断したカバーを掛けて保護すると良い。
【００２３】
本発明の炭入り健康まくらは、上記実施の形態例に限定されるものではなく、特許請求の範囲内で適宜変更できる。例えば、面ファスナーを構成するフックとループは、取り付けられている部材が各々逆であっても良いし、まくら内部に納める物は炭だけでなく、睡眠時にリラックス効果を奏する芳香を有した花等であっても良い。
【符号の説明】
【００２４】
１  まくら台
１ａ  板材
１ｂ  梁
２  支持部材
３  まくら保持部
４  カバー
５  まくら本体
６  凹部
７  枕カバー
７ｂ  面ファスナー（ループ）
７ｃ  見込み代
８  緩衝材
８ａ  貫通孔
９  まくら基礎
１０  ゴム帯
１１  面ファスナー（フック）
１２  緩衝材載置台
Ｃ  炭
Ｍ  使用者
【要約】
【課題】
炭等を収納してまくら周辺の空気を睡眠に快適な環境に整えることが出来て、且つ、寝ながらであっても頭皮へ刺激を与えることが出来るまくらを提供する。
【解決手段】
使用者Ｍの頭部を載せるまくら本体５と、前記まくら本体５を載置するまくら台１と、を備えた炭入り健康まくらであって、前記まくら本体５を載置する前記まくら台１は、対面する上下２枚の板材１ａ、１ａの間に２本の梁１ｂ、１ｂを、間隔を保ち挟装して内部に隙間を設けており、該まくら台１の対向位置に前記まくら本体５を保持するまくら保持部３、３と、該まくら台１に垂設する少なくとも２つの支持部材２、２と、を備えており、前記まくら本体５は、中央部に円錐台形状の貫通孔８ａを備えた緩衝材８と、前記緩衝材８を載置する板状のまくら基礎９と、前記緩衝材８および前記まくら基礎９と、を包み込むまくらカバー７と、前記まくら本体５の中央に設けられた半球状の凹部６と、を備えており、前記まくら台１に設けられている前記隙間に炭Ｃを納めて、該炭Ｃが前記まくら台１から脱落しないようにまくら台１の側面を覆うカバー４を備え、使用時には、前記まくら本体５を載置した状態の前記まくら台１を起立させて、前記支持部材２、２により起立状態を保持することを特徴とする。
【選択図】図１【図１】
0006945958.tif 000002
【図２】
0006945958.tif 000003
【図３】
0006945958.tif 000004
【図４】
0006945958.tif 000005
【図５】
0006945958.tif 000006
【図６】
0006945958.tif 000007